(57)【特許請求の範囲】
【請求項１】
複数の走査線と複数のデータ線との各交差に対応して設けられた画素を駆動する表示装置の駆動方法であって、
前記複数の走査線のうち、１本の走査線を１水平走査期間毎に選択するとともに、当該１水平走査期間を２分割した一方の期間にて、選択電圧を当該選択走査線に印加し、
前記選択電圧の極性を、前記データ線に印加される点灯電圧および非点灯電圧の中間値を基準として、少なくとも２以上の水平走査期間毎に反転させ、
前記複数のデータ線のうち、特定のデータ線に属する画素を表示状態とし、それ以外のデータ線に属する画素を非表示状態とする場合に、
前記特定のデータ線に対し、
前記複数の走査線のうち、１本の走査線を選択する１水平走査期間にあって、当該選択走査線に選択電圧を印加する期間にて、当該選択走査線と当該特定のデータ線との交差に対応する画素で表示すべき内容に応じて点灯電圧を印加し、かつ、当該選択走査線を選択する１水平走査期間にわたって点灯電圧および非点灯電圧を互いに略同一期間印加する一方、
前記特定のデータ線以外のデータ線に対し、
非点灯電圧を、選択走査線に印加される選択電圧の極性に応じて、かつ、前記選択電圧の極性反転の周期毎に極性反転して供給する
ことを特徴とする表示装置の駆動方法。
【請求項２】
ある１本の走査線を選択するとき、１水平走査期間を２分割した後半期間にて選択電圧を当該選択走査線に印加し、
次の１本の走査線を選択するとき、１水平走査期間を２分割した前半期間にて選択電圧を当該選択走査線に印加して、
当該選択電圧を、１水平走査期間毎に一方の期間および他方の期間で交互に印加する
ことを特徴とする請求項１に記載の表示装置の駆動方法。
【請求項３】
前記特定のデータ線に対し、
前記選択電圧を前記後半期間に印加するとき、当該後半期間の終点よりも、当該選択走査線と当該特定のデータ線との交差に対応する画素の階調に応じた期間手前の時点から、当該後半期間の終点まで点灯電圧を印加し、その後半期間の残余期間では非点灯電圧を印加する一方、
前記選択電圧を前記前半期間に印加するとき、当該前半期間の始点から、当該選択走査線と当該特定のデータ線との交差に対応する画素の階調に応じた期間まで、点灯電圧を印加し、その前半期間の残余期間では非点灯電圧を印加する
ことを特徴とする請求項２に記載の表示装置の駆動方法。
【請求項４】
複数の走査線と複数のデータ線との各交差に対応して設けられた画素を駆動する表示装置の駆動回路であって、
前記複数の走査線のうち、１本の走査線を１水平走査期間毎に選択するとともに、当該１水平走査期間を２分割した一方の期間にて、選択電圧を当該選択走査線に印加し、かつ、
前記選択電圧の極性を、前記データ線に印加される点灯電圧および非点灯電圧の中間値を基準として、少なくとも２以上の水平走査期間毎に反転させる走査線駆動回路と、
前記複数のデータ線のうち、特定のデータ線に属する画素を表示状態とし、それ以外のデータ線に属する画素を非表示状態とする場合に、
前記特定のデータ線に対し、
前記複数の走査線のうち、１本の走査線を選択する１水平走査期間にあって、当該選択走査線に選択電圧を印加する期間にて、当該選択走査線と当該特定のデータ線との交差に対応する画素で表示すべき内容に応じて点灯電圧を印加し、かつ、当該選択走査線を選択する１水平走査期間にわたって点灯電圧および非点灯電圧を互いに略同一期間印加する一方、
前記特定のデータ線以外のデータ線に対し、
非点灯電圧を、選択走査線に印加される選択電圧の極性に応じて、かつ、前記選択電圧の極性反転の周期毎に極性反転して供給するデータ線駆動回路と
を具備することを特徴とする表示装置の駆動回路。
【請求項５】
前記走査線駆動回路は、
ある１本の走査線を選択するとき、１水平走査期間を２分割した後半期間にて選択電圧を当該選択走査線に印加し、
次の１本の走査線を選択するとき、１水平走査期間を２分割した前半期間にて選択電圧を当該選択走査線に印加して、
当該選択電圧を、１水平走査期間毎に一方の期間および他方の期間で交互に印加する
ことを特徴とする請求項４に記載の表示装置の駆動回路。
【請求項６】
前記データ線駆動回路は、
前記特定のデータ線に対し、
前記選択電圧が前記走査線駆動回路によって前記後半期間に印加されるとき、当該後半期間の終点よりも、当該選択走査線と当該特定のデータ線との交差に対応する画素の階調に応じた期間手前の時点から、当該後半期間の終点まで点灯電圧を印加し、その後半期間の残余期間では非点灯電圧を印加する一方、
前記選択電圧が前記走査線駆動択回路によって前記前半期間に印加されるとき、当該前半期間の始点から、当該選択走査線と当該特定のデータ線との交差に対応する画素の階調に応じた期間まで、点灯電圧を印加し、その前半期間の残余期間では非点灯電圧を印加する
ことを特徴とする請求項５に記載の表示装置の駆動回路。
【請求項７】
複数の走査線と複数のデータ線との各交差に対応して設けられた画素を有する表示装置であって、
前記複数の走査線のうち、１本の走査線を１水平走査期間毎に選択するとともに、当該１水平走査期間を２分割した一方の期間にて、選択電圧を当該選択走査線に印加し、かつ、
前記選択電圧の極性を、前記データ線に印加される点灯電圧および非点灯電圧の中間値を基準として、少なくとも２以上の水平走査期間毎に反転させる走査線駆動回路と、
前記複数のデータ線のうち、特定のデータ線に属する画素を表示状態とし、それ以外のデータ線に属する画素を非表示状態とする場合に、
前記特定のデータ線に対し、
前記複数の走査線のうち、１本の走査線を選択する１水平走査期間にあって、当該選択走査線に選択電圧を印加する期間にて、当該選択走査線と当該特定のデータ線との交差に対応する画素で表示すべき内容に応じて点灯電圧を印加し、かつ、当該選択走査線を選択する１水平走査期間にわたって点灯電圧および非点灯電圧を互いに略同一期間印加する一方、
前記特定のデータ線以外のデータ線に対し、
非点灯電圧を、選択走査線に印加される選択電圧の極性に応じて、かつ、前記選択電圧の極性反転の周期毎に極性反転して供給するデータ線駆動回路と
を具備することを特徴とする表示装置。
【請求項８】
前記画素は、スイッチング素子と電気光学材料からなる容量素子とを含み、
１本の走査線に選択電圧が印加されると、当該走査線に属する画素のスイッチング素子が導通状態になって、当該スイッチング素子に対応する容量素子に、対応するデータ線に印加される点灯電圧に応じた書き込みが行われる
ことを特徴とする請求項７に記載の表示装置。
【請求項９】
前記スイッチング素子は、二端子型スイッチング素子であり、
前記画素は、走査線とデータ線との間において、前記二端子型スイッチング素子と前記容量素子とが直列接続されてなる
ことを特徴とする請求項８に記載の表示装置。
【請求項１０】
前記二端子型スイッチング素子は、前記走査線または前記データ線のいずれかに接続された導電体／絶縁体／導電体の構造を有する
ことを特徴とする請求項９に記載の表示装置。
【請求項１１】
請求項７乃至１０のいずれかに記載の表示装置を備える
ことを特徴とする電子機器。
【発明の詳細な説明】
【０００１】
【発明の属する技術分野】
本発明は、ある特定のデータ線に属する画素のみを表示状態とする一方、それ以外のデータ線に属する画素を非表示状態として、低消費電力化を図った表示装置の駆動方法、表示装置の駆動回路、表示装置および電子機器に関する。
【０００２】
【従来の技術】
携帯電話のような携帯型電子機器に用いられる表示装置には、より多くの情報が表示できるように、表示ドット数が年々増加している。一方、携帯型電子機器は、電池駆動が原則であるため、低消費電力であることが強く求められている。このため、携型型電子機器に用いられる表示装置には、高解像度化と低消費電力化という一見すると相矛盾する２つの特性が求められている。
【０００３】
そこで、これを解決するために、次のような部分表示駆動（パーシャル駆動ともいわれる）と呼ばれる駆動方法が提案されている。すなわち、この部分表示駆動とは、待機時などのように、特に全画面表示が必要とされない場合に、一部の走査線にのみ走査信号を供給することにより、図２６に示されるように、当該一部の走査線に属する画素の領域のみを表示状態とし、他の画素については非表示状態として、電力の消費を抑えるというものである。
【０００４】
【発明が解決しようとする課題】
しかしながら、このような部分表示駆動では、表示領域（非表示領域）が、走査線の形成方向にしたがって、必然的に横長となるので、この意味において、部分表示における表示態様に制限を加えるものであった。かといって、表示領域を縦長とする表示を行う場合、単に、非表示領域にかかるデータ線に対し非点灯電圧を供給するだけの構成では、データ線に印加される電圧の切り替わる頻度（切替頻度）が低減されないため、意外に低消費電力化が図られない、という事情がある。
【０００５】
本発明は、このような事情に鑑みてなされたもので、その目的とするところは、表示領域を縦長とした上で、消費電力を抑えることが可能な表示装置の駆動方法、その駆動回路、表示装置および電子機器を提供することにある。
【０００６】
【課題を解決するための手段】
上記目的を達成するために本件の第１発明に係る表示装置の駆動方法にあっては、複数の走査線と複数のデータ線との各交差に対応して設けられた画素を駆動する表示装置の駆動方法であって、前記複数の走査線のうち、１本の走査線を１水平走査期間毎に選択するとともに、当該１水平走査期間を２分割した一方の期間にて、選択電圧を当該選択走査線に印加し、前記選択電圧の極性を、前記データ線に印加される点灯電圧および非点灯電圧の中間値を基準として、少なくとも２以上の水平走査期間毎に反転させ、前記複数のデータ線のうち、特定のデータ線に属する画素を表示状態とし、それ以外のデータ線に属する画素を非表示状態とする場合に、前記特定のデータ線に対し、前記複数の走査線のうち、１本の走査線を選択する１水平走査期間にあって、当該選択走査線に選択電圧を印加する期間にて、当該選択走査線と当該特定のデータ線との交差に対応する画素で表示すべき内容に応じて点灯電圧を印加し、かつ、当該選択走査線を選択する１水平走査期間にわたって点灯電圧および非点灯電圧を互いに略同一期間印加する一方、前記特定のデータ線以外のデータ線に対し、非点灯電圧を、選択走査線に印加される選択電圧の極性に応じて、かつ、前記選択電圧の極性反転の周期毎に極性反転して供給することを特徴としている。
【０００７】
この駆動方法によれば、各走査線には、１水平走査期間を２分割した一方の期間にて選択電圧が印加される。ここで、表示状態にかかるデータ線（特定のデータ線）には、１水平走査期間において、点灯電圧および非点灯電圧が略同一期間印加されるので、表示パターンに依存するクロストークの発生が抑えられることとなる。一方、非表示状態にかかるデータ線（特定のデータ線以外のデータ線）には、当該走査線が選択される１水平走査期間にわたって非点灯電圧が印加される。この際、走査線に印加される選択電圧は、２以上の水平走査期間毎に極性反転するので、非表示状態にかかるデータ線に印加される非点灯電圧も、２以上の水平走査期間毎に切り替わりことになる。このため、非表示状態とすべき画素のデータ線に印加される電圧の切替頻度が低減される結果、この切り替わりに伴って消費される電力分を抑えることが可能となる。
【０００８】
なお、本件における点灯電圧とは、ある１水平走査期間に着目した場合に、その一方の期間において印加される選択電圧の極性とは逆極性であるデータ信号の電圧をいい、また、非点灯電圧とは、同じくある１水平走査期間に着目した場合に、その一方の期間において印加される選択電圧の極性とは同一極性であるデータ信号の電圧をいう。したがって、データ線に印加される電圧が正極側であったとしても、選択電圧の極性が負極側であれば、それは点灯電圧となるし、反対に、選択電圧の極性が正極側であれば、それは非点灯電圧となる。
【０００９】
ここで、第１発明において、ある１本の走査線を選択するとき、１水平走査期間を２分割した後半期間にて選択電圧を当該選択走査線に印加し、次の１本の走査線を選択するとき、１水平走査期間を２分割した前半期間にて選択電圧を当該選択走査線に印加して、当該選択電圧を、１水平走査期間毎に一方の期間および他方の期間で交互に印加する方法が望ましい。このように選択電圧を、１水平走査期間毎に、一方の期間および他方の期間で交互に印加すると、特定のデータ線に属する画素において、オフ表示またはオン表示のいずれかが連続する場合に、当該データ線に印加される電圧の切替頻度が低減されるので、その分、さらに消費電力を抑えることが可能となる。
【００１０】
さらに、第１発明において、前記特定のデータ線に対し、前記選択電圧を前記後半期間に印加するとき、当該後半期間の終点よりも、当該選択走査線と当該特定のデータ線との交差に対応する画素の階調に応じた期間手前の時点から、当該後半期間の終点まで点灯電圧を印加し、その後半期間の残余期間では非点灯電圧を印加する一方、前記選択電圧を前記前半期間に印加するとき、当該前半期間の始点から、当該選択走査線と当該特定のデータ線との交差に対応する画素の階調に応じた期間まで、点灯電圧を印加し、その前半期間の残余期間では非点灯電圧を印加する方法が望ましい。この方法によれば、ある１本の走査線と特定のデータ線との交差に対応する画素では、いわゆる右寄変調法によって階調表示が行われる一方、その次の１本の走査線と特定のデータ線との交差に対応する画素では、いわゆる左寄変調法によって階調表示が行われる。これにより、特定のデータ線に位置する画素において中間階調表示を行う場合であっても、当該特定のデータ線に印加される点灯電圧と非点灯電圧との切替頻度が低減されるので、切り替わりに伴って消費される電力を、さらに抑えることが可能となる。
【００１１】
同様に、上記目的を達成するために本件の第２発明に係る表示装置の駆動回路にあっては、複数の走査線と複数のデータ線との各交差に対応して設けられた画素を駆動する表示装置の駆動回路であって、前記複数の走査線のうち、１本の走査線を１水平走査期間毎に選択するとともに、当該１水平走査期間を２分割した一方の期間にて、選択電圧を当該選択走査線に印加し、かつ、前記選択電圧の極性を、前記データ線に印加される点灯電圧および非点灯電圧の中間値を基準として、少なくとも２以上の水平走査期間毎に反転させる走査線駆動回路と、前記複数のデータ線のうち、特定のデータ線に属する画素を表示状態とし、それ以外のデータ線に属する画素を非表示状態とする場合に、前記特定のデータ線に対し、前記複数の走査線のうち、１本の走査線を選択する１水平走査期間にあって、当該選択走査線に選択電圧を印加する期間にて、当該選択走査線と当該特定のデータ線との交差に対応する画素で表示すべき内容に応じて点灯電圧を印加し、かつ、当該選択走査線を選択する１水平走査期間にわたって点灯電圧および非点灯電圧を互いに略同一期間印加する一方、前記特定のデータ線以外のデータ線に対し、非点灯電圧を、選択走査線に印加される選択電圧の極性に応じて、かつ、前記選択電圧の極性反転の周期毎に極性反転して供給するデータ線駆動回路とを具備することを特徴としている。この構成によれば、上記第１の発明と同様に、表示パターンに依存するクロストークの発生が抑えられる一方、非表示状態にかかるデータ線に印加される非点灯電圧が、２以上の水平走査期間毎に切り替わりことになるので、切り替わりに伴って消費される電力を抑えることが可能となる。
【００１２】
この第２発明において、前記走査線駆動回路は、ある１本の走査線を選択するとき、１水平走査期間を２分割した後半期間にて選択電圧を当該選択走査線に印加し、次の１本の走査線を選択するとき、１水平走査期間を２分割した前半期間にて選択電圧を当該選択走査線に印加して、当該選択電圧を、１水平走査期間毎に一方の期間および他方の期間で交互に印加する構成が望ましい。この構成によれば、特定のデータ線に属する画素において白表示または黒表示のいずれかが連続する場合に、当該データ線に印加される電圧の切替頻度が低減されるので、その分、消費電力を抑えることが可能となる。
【００１３】
さらに、第２発明において、前記データ線駆動回路は、前記特定のデータ線に対し、前記選択電圧が前記走査線駆動回路によって前記後半期間に印加されるとき、当該後半期間の終点よりも、当該選択走査線と当該特定のデータ線との交差に対応する画素の階調に応じた期間手前の時点から、当該後半期間の終点まで点灯電圧を印加し、その後半期間の残余期間では非点灯電圧を印加する一方、前記選択電圧が前記走査線駆動回路によって前記前半期間に印加されるとき、当該前半期間の始点から、当該選択走査線と当該特定のデータ線との交差に対応する画素の階調に応じた期間まで、点灯電圧を印加し、その前半期間の残余期間では非点灯電圧を印加する構成が好ましい。この構成によれば、特定のデータ線に位置する画素において中間階調表示を行う場合であっても、当該特定のデータ線に印加される点灯電圧と非点灯電圧との切替頻度が低減されるので、切り替わりに伴って消費される電力を、さらに抑えることが可能となる。
【００１４】
同様に、上記目的を達成するために本件の第３発明に係る表示装置にあっては、複数の走査線と複数のデータ線との各交差に対応して設けられた画素を有する表示装置であって、前記複数の走査線のうち、１本の走査線を１水平走査期間毎に選択するとともに、当該１水平走査期間を２分割した一方の期間にて、選択電圧を当該選択走査線に印加し、かつ、前記選択電圧の極性を、前記データ線に印加される点灯電圧および非点灯電圧の中間値を基準として、少なくとも２以上の水平走査期間毎に反転させる走査線駆動回路と、前記複数のデータ線のうち、特定のデータ線に属する画素を表示状態とし、それ以外のデータ線に属する画素を非表示状態とする場合に、前記特定のデータ線に対し、前記複数の走査線のうち、１本の走査線を選択する１水平走査期間にあって、当該選択走査線に選択電圧を印加する期間にて、当該選択走査線と当該特定のデータ線との交差に対応する画素で表示すべき内容に応じて点灯電圧を印加し、かつ、当該選択走査線を選択する１水平走査期間にわたって点灯電圧および非点灯電圧を互いに略同一期間印加する一方、前記特定のデータ線以外のデータ線に対し、非点灯電圧を、選択走査線に印加される選択電圧の極性に応じて、かつ、前記選択電圧の極性反転の周期毎に極性反転して供給するデータ線駆動回路とを具備することを特徴としている。この構成によれば、上記第１および第２の発明と同様に、表示パターンに依存するクロストークの発生が抑えられる一方、非表示状態にかかるデータ線に印加される非点灯電圧が、２以上の水平走査期間毎に切り替わりことになるので、切り替わりに伴って消費される電力を抑えることが可能となる。
【００１５】
ここで、第３発明において、前記画素は、スイッチング素子と電気光学材料からなる容量素子とを含み、１本の走査線に選択電圧が印加されると、当該走査線に属する画素のスイッチング素子が導通状態になって、当該スイッチング素子に対応する容量素子に、対応するデータ線に印加される点灯電圧に応じた書き込みが行われる構成が好ましい。この構成によれば、スイッチング素子により選択画素と非選択画素とが電気的に分離されるので、コントラストやレスポンスなどが良好であり、かつ、高精細な表示が可能となる。
【００１６】
このようなスイッチング素子は、二端子型スイッチング素子であり、前記画素は、走査線とデータ線との間において、前記二端子型スイッチング素子と前記容量素子とが直列接続されてなる構成が好ましい。第３発明では、スイッチング素子として、トランジスタのような三端子型スイッチング素子を用いることも可能ではあるが、一方の基板において、走査線およびデータ線を交差させて形成する必要があるので、配線ショートの可能性が高まる点に難があり、また、製造プロセスも複雑化する。これに対して、二端子型スイッチング素子では、配線ショートが原理的に発生しない点で有利である。
【００１７】
さらに、このような二端子型スイッチング素子は、前記走査線または前記データ線のいずれかに接続された導電体／絶縁体／導電体の構造を有するのが望ましい。このうち、いずれかの導電体は、そのまま走査線またはデータ線として用いることが可能であり、また、絶縁体は、この導電体自体を酸化することで形成可能であるため、製造プロセスの簡略化が図られることとなる。
【００１８】
くわえて、上記目的を達成するために、本件の第４発明に係る電子機器にあっては、上記表示装置を備えることを特徴としている。したがって、この電子機器にあっては、上述したように、クロストークの発生を抑えた上で、低消費電力化を図ることが可能となる。
【００１９】
【発明の実施の形態】
以下、本発明の実施の形態について図面を参照して説明する。
【００２０】
＜構成＞
はじめに、本発明の第１実施形態に係る表示装置の電気的構成について説明する。図１は、この表示装置の電気的な構成を示すブロック図である。この図に示されるように、液晶パネル１００には、複数のデータ線（セグメント電極）２１２が列（Ｙ）方向に延在して形成される一方、複数の走査線（コモン電極）３１２が行（Ｘ）方向に延在して形成されるとともに、データ線２１２と走査線３１２との各交差に対応して画素１１６が形成されている。さらに、各画素１１６は、液晶容量１１８と、スイッチング素子の一例であるＴＦＤ（Thin Film Diode：薄膜ダイオード）２２０との直列接続からなる。このうち、液晶容量１１８は、後述するように、対向電極として機能する走査線３１２と画素電極との間において、電気光学材料における一例としての液晶を挟持した構成となっている。なお、本実施形態にあっては、説明の便宜上、走査線３１２の総数を２００本とし、データ線２１２の総数を１６０本として、２００行×１６０列のマトリクス型表示装置として説明するが、本発明をこれに限定する趣旨ではない。
【００２１】
次に、Ｙドライバ３５０は、一般には走査線駆動回路と呼ばれて、走査信号Ｙ１、Ｙ２、…、Ｙ２００を、それぞれ対応する走査線３１２に供給するものである。詳細には、本実施形態に係るＹドライバ３５０は、走査線３１２を１水平走査期間毎に１本ずつ順次選択して、その選択期間の後半期間において選択電圧を印加し、選択期間の前半期間と非選択期間（保持期間）とにおいて非選択電圧（保持電圧）を印加するものである。
【００２２】
また、Ｘドライバ２５０は、一般には、データ線駆動回路と呼ばれて、Ｙドライバ３５０により選択された走査線３１２に位置する画素１１６に対し、データ信号Ｘ１、Ｘ２、…、Ｘ１６０を、表示内容に応じてそれぞれ対応するデータ線２１２を介して供給するものである。なお、Ｘドライバ２５０およびＹドライバ３５０の詳細構成についても後述するものとする。
【００２３】
一方、制御回路４００は、Ｘドライバ２５０およびＹドライバ３５０に対して、後述する各種制御信号やクロック信号などを供給して、両者を制御するものである。また、駆動電圧形成回路５００は、データ信号と、走査信号のうちの非選択電圧として兼用される電圧±ＶD／２と、走査信号のうちの選択電圧として用いられる電圧±ＶSとをそれぞれ生成するものである。
【００２４】
なお、本実施形態においては、走査線３１２やデータ線２１２に印加される電圧の極性は、データ線２１２に印加される電圧±ＶD／２の中間電位を基準として高電位側を正とし、低電位側を負としている。
【００２５】
＜機械的構成＞
次に、本実施形態に係る表示装置のうち、液晶パネル１００の機械的な構成について説明する。図２は、液晶パネル１００の全体構成を示す斜視図であり、図３は、この液晶パネル１００をＸ方向に沿って破断した場合の構成を示す部分断面図である。
【００２６】
図３に示されるように、液晶パネル１００は、観察者側に位置する対向基板３００と、その背面側に位置する素子基板２００とが、スペーサを兼ねる導電性粒子（導通材）１１４の混入されたシール材１１０によって一定の間隙を保って貼り合わせられるとともに、この間隙に例えばＴＮ（Twisted Nematic）型の液晶１６０が封入された構成となっている。なお、シール材１１０は、図２に示されるように、対向基板３００の内周縁に沿っていずれか一方の基板に枠状に形成されるが、液晶１６０を封入するために、その一部が開口している。このため、液晶の封入後に、その開口部分が封止材１１２によって封止された構成となっている。
【００２７】
さて、対向基板３００の対向面には、行（Ｘ）方向に延在して形成される走査線３１２のほか、配向膜３０８が形成されてラビング処理が所定の方向に施されている。ここで、対向基板３００に形成された走査線３１２は、シール材１１０に混入された導電性粒子１１４を介し、各走査線３１２と１対１に対応する配線３４２であって、素子基板２００に形成された配線３４２の一端に接続されている。すなわち、対向基板３００に形成された走査線３１２は、導電性粒子１１４および配線３４２を介して、素子基板２００側に引き出された構成となっている。一方、対向基板３００の外側（観察側）には偏光子１３１が貼り付けられて（図２では省略）、その吸収軸は、配向膜３０８へのラビング処理の方向に対応して設定されている。
【００２８】
また、素子基板２００の対向面には、Ｙ（列）方向に延在して形成されるデータ線２１２に隣接して矩形状の画素電極２３４が形成されるほか、配向膜２０８が形成されてラビング処理が所定の方向に施されている。一方、素子基板２００の外側（観察側の反対側）には偏光子１２１が貼り付けられて（図２では省略）、その吸収軸は、配向膜２０８へのラビング処理の方向に対応して設定されている。このほかに、素子基板２００の外側には、均一に光を照射するバックライトユニットが設けられるが、本件とは直接に関係しないので、図示を省略している。
【００２９】
続いて表示領域外について説明すると、図２に示されるように、素子基板２００にあって対向基板３００から張り出した２辺には、走査線３１２を駆動するためのＹドライバ３５０、および、データ線２１２を駆動するためのＸドライバ２５０が、それぞれＣＯＧ（Chip On Glass）技術により実装されている。これにより、Ｙドライバ３５０は、配線３４２および導電性粒子１１４を介し、走査線３１２に走査信号を供給する一方、Ｘドライバ２５０は、データ線２１２に直接データ信号を供給する構成となっている。
【００３０】
また、Ｘドライバ２５０が実装される領域の外側近傍には、ＦＰＣ（Flexible Printed Circuit）基板１５０が接合されて、制御回路４００や駆動電圧形成回路５００（ともに図１参照）による各種信号を、Ｙドライバ３５０およびＸドライバ２５０にそれぞれ供給する構成となっている。
【００３１】
なお、図１におけるＸドライバ２５０およびＹドライバ３５０は、図２とは異なり、それぞれ液晶パネル１００の左側および上側にそれぞれ位置しているが、これは電気的な構成を説明するための便宜上の措置に過ぎない。また、Ｘドライバ２５０およびＹドライバ３５０を、それぞれ素子基板２００にＣＯＧ実装する替わりに、例えば、ＴＡＢ（Tape Automated Bonding）技術を用いて、各ドライバが実装されたＴＣＰ（Tape Carrier Package）を、基板の所定位置に設けられる異方性導電膜により電気的および機械的に接続する構成としても良い。
【００３２】
＜液晶パネルの詳細構成＞
次に、液晶パネル１００における画素１１６の詳細構成について説明する。図４は、その構造を示す部分破断斜視図である。なお、この図では、説明理解のために、図３における配向膜２０８、３０８および偏光子１２１、１３１を省略している。
【００３３】
さて、図４に示されるように、素子基板２００の対向面には、ＩＴＯ（Indium Tin Oxide）などの透明導電体からなる矩形状の画素電極２３４がマトリクス状に配列しており、このうち、同一列に配列する２００個の画素電極２３４が、１本のデータ線２１２に、それぞれＴＦＤ２２０を介して共通接続されている。ここで、ＴＦＤ２２０は、基板側からみると、タンタル単体やタンタル合金などから形成され、かつ、データ線２１２から枝分かれした第１の導電体２２２と、この第１の導電体２２２を陽極酸化してなる絶縁体２２４と、クロム等などの第２の導電体２２６とから構成されて、導電体／絶縁体／導電体のサンドイッチ構造を採る。このため、ＴＦＤ２２０は、電流−電圧特性が正負双方向にわたって非線形となるダイオードスイッチング特性を有することになる。
【００３４】
また、素子基板２００の上面に形成された絶縁体２０１は、透明性および絶縁性を有するものである。この絶縁体２０１が形成される理由は、第２の導電体２２６の堆積後における熱処理により、第１の導電体２２２が剥離しないようにするため、および、第１の導電体２２２に不純物が拡散しないようにするため、である。したがって、これらが問題とならない場合には、絶縁体２０１は省略可能である。
【００３５】
一方、対向基板３００の対抗面には、ＩＴＯなどからなる走査線３１２が、データ線２１２とは直交する行方向に延在し、かつ、画素電極２３４の対向する位置に配列している。これにより、走査線３１２は、画素電極２３４の対向電極として機能することになる。したがって、図１における液晶層１１８は、データ線２１２と走査線３１２との交差において、当該走査線３１２と、画素電極２３４と、両者の間に位置する液晶１６０とで構成されることになる。
【００３６】
ほかに、対向基板３００には、液晶パネル１００の用途に応じて、例えば、ストライプ状や、モザイク状、トライアングル状等に配列されたカラーフィルタが設けられ、それ以外の領域には、遮光や画素間の混色を防止するために、ブラックマトリクスが設けられるが、本件とは直接関連しないので、説明を省略することにする。
【００３７】
＜駆動＞
ところで、上述した構成の画素１１６における１個分は、図１８（ａ）に示されるような等価回路で表すことができる。すなわち、一般的に、ｊ（ｊは、１≦ｊ≦２００の整数）行目の走査線３１２と、ｉ（ｉは、１≦ｉ≦１６０の整数）列目のデータ線２１２との交差に対応する画素１１６は、同図に示されるように、抵抗ＲTおよび容量ＣTの並列回路で示されるＴＦＤ２２０と、抵抗ＲLCおよび容量ＣLCの並列回路で示される液晶層１１８との直列回路により表すことができる。
【００３８】
ここで、一般的な駆動方法たる４値駆動法（１Ｈセレクト、１Ｈ反転）について説明する。図１９は、この４値駆動法（１Ｈセレクト、１Ｈ反転）において、ある画素１１６に印加される走査信号Ｙｊおよびデータ信号Ｘｉの波形例を示す図である。この駆動法では、走査信号Ｙｊとして、１水平走査期間１Ｈに選択電圧＋ＶSを印加した後、保持期間に非選択電圧＋ＶD／２を印加して保持するとともに、前回の選択から１垂直走査期間（１フレーム）１Ｖ経過すると、今度は選択電圧−ＶSを印加して、保持期間に非選択電圧−ＶD／２を印加して保持する、という動作を繰り返す一方、データ信号Ｘｉとして電圧±ＶD／２のいずれかを印加する、というものである。この際、ある走査線への走査信号Ｙｊとして選択電圧＋ＶSを印加すると、その次の走査線への走査信号Ｙｊ＋１として選択電圧−ＶSを印加する、というように１水平走査期間１Ｈ毎に、選択電圧の極性を反転する動作も行われる。
【００３９】
この４値駆動法（１Ｈセレクト、１Ｈ反転）におけるデータ信号Ｘｉの電圧は、選択電圧＋ＶSを印加する場合であって、画素１１６をオン表示（例えば、ノーマリーホワイトモードにおいては黒色表示）とするときには−ＶD／２となり、画素１１６をオフ表示（ノーマリーホワイトモードにおいては白色表示）とするときには＋ＶD／２となる一方、選択電圧−ＶSを印加する場合であって、画素１１６オン表示とするときには＋ＶD／２となり、画素１１６をオフ表示とするときには−ＶD／２となる。
【００４０】
ところが、この４値駆動法（１Ｈセレクト、１Ｈ反転）では、例えば、図２０に示されるように、表示画面１００ａにおける一部の領域Ａにおいて１行毎の白色および黒色からなるゼブラ表示とし、それ以外の領域では単なる白色表示とする場合に、クロストーク、すなわち濃淡差を伴う白色表示が、領域Ａに対してＹ方向に発生する、という問題が知られている。
【００４１】
この理由を簡単に説明すれば次のような理由による。すなわち、領域Ａにおいてゼブラ表示を行うと、領域Ａにかかるデータ線へのデータ信号においては、電圧±ＶD／２の切替周期が走査信号の反転周期と一致してしまうので、そのデータ信号の電圧は、領域Ａにかかる走査線が選択される期間においては、±ＶD／２のいずれか一方に固定されてしまう。これを、領域Ａに対してＹ方向に隣接する領域の画素からみれば、保持期間の一部期間における電圧が一方に固定化されることを意味する。一方、相隣接する走査線での選択電圧は、上述したように互いに反対極性である。したがって、領域Ａに対しＹ方向に隣接する領域において、保持期間の一部期間で印加される電圧実効値は、奇数行に位置する画素１１６と奇数行に位置する画素１１６とにおいて異なってしまう。この結果、領域Ａに対してＹ方向に隣接する領域において、奇数行の画素１１６と偶数行の画素１１６とにおいて濃度差が生じて、上述したようなクロストークが発生してしまうのである。
【００４２】
そこで、このクロストークの問題を解消するために、４値駆動法（１／２Ｈセレクト、１Ｈ反転）という駆動方法が用いられる。この４値駆動法（１／２セレクト、１Ｈ反転）は、図２１に示されるように、４値駆動法（１Ｈセレクト、１Ｈ反転）における１水平走査期間１Ｈを前半期間と後半期間とに分け、このうち例えば後半期間１／２Ｈにおいて走査線の選択を行うとともに、１水平走査期間１Ｈにおいて電圧−ＶD／２と＋ＶD／２とを印加する期間の割合をそれぞれ５０％としたものである。この４値駆動法（１／２Ｈセレクト、１Ｈ反転）によれば、いかなるパターンを表示させたとしても、データ信号Ｘｉにおいて、電圧−ＶD／２の印加期間と電圧＋ＶD／２の印加期間とが互いに半分ずつとなるので、上述したクロストークの発生が防止されることとなる。
【００４３】
さて、本実施形態に係る表示装置において、走査線３１２の総数は２００本であるから、１垂直走査期間１Ｖにおける保持期間（非選択期間）は、１水平走査期間１Ｈの１９９倍である１９９Ｈの期間となる。この保持期間では、ＴＦＤ２２０がオフとなるから、その抵抗ＲTは十分に大きく、また、液晶層１１８の抵抗ＲLCは、ＴＦＤ２２０のオンオフにかかわらず十分に大きい。このため、保持期間における画素１１６の等価回路は、図１８（ｂ）に示されるように、容量ＣTおよび容量ＣLCの直列合成容量からなる容量Ｃpixで表すことができる。ここで、容量Ｃpixは、（ＣT・ＣLC）／（ＣT＋ＣLC）である。
【００４４】
いま、液晶パネル１００において、例えば図５に示されるように、左から数えて４１列目〜８０列目のデータ線２１２に位置する画素のみを表示領域とし、１列目〜４０列目および８１列目〜１６０列目のデータ線２１２に位置する画素を非表示領域とする場合について考えてみる。この場合、単純には、表示領域に属するデータ線２１２のデータ信号Ｘ４１〜Ｘ８０については、当該表示領域で表示すべき内容に応じたものとする一方、非表示領域に属するデータ線のデータ信号Ｘ１〜Ｘ４０およびＸ８１〜Ｘ１６０については、オフ（白色）表示に対応するものとする方法が考えられる。
【００４５】
ただし、この方法にあっては、非表示領域の画素容量Ｃpixにおいて、非選択期間であっても頻繁に充放電が行われるので、電力の消費を大して抑えることができない。この点について詳述すると、図２２に示されるように、例えばｊ行目の走査線３１２が非選択である場合であって、当該走査線への走査信号Ｙｊの非選択電圧が例えば＋ＶD／２に保持されているとき、白色表示に対応するデータ信号２１２は、１水平走査期間１Ｈの半分期間（１／２Ｈ）毎に、電圧＋ＶD／２および−ＶD／２に交互に切り替えられるので、ｊ行目の走査線３１２と、１列目〜４０列目および８１列目〜１６０列目のデータ線２１２との交差に対応する画素容量ＣＬＣ（すなわち、非表示領域の画素容量Ｃpix）は、１水平走査期間１Ｈに２回の割合で充放電が行われることになる。
【００４６】
したがって、この方法では、非表示領域であっても、１つの画素１１６についてみれば、保持（非選択）期間における電圧切り替わりにより、Ｃpix・ＶDの電荷が供給される結果、画素１１６における容量負荷によって電力が消費されてしまうことになる。
【００４７】
そこで、本実施形態に係る表示装置は、選択信号の極性反転周期を２以上の水平走査期間にするとともに、非表示領域にかかるデータ線２１２のデータ信号を、１水平走査期間にわたってオフ（白色）表示に対応する電圧に維持して、非表示領域にかかるデータ信号の電圧切替頻度を低減させることにより、非表示領域の画素において消費される電力を抑える構成とした。以下、このような駆動を行うための回路について説明する。
【００４８】
＜制御回路＞
このため、図１における制御回路４００は、次に説明するような、制御信号やクロック信号などの各種制御信号を生成する。第１に、開始パルスＹＤは、図７に示されるように、１垂直走査期間（１フレーム）の最初に出力されるパルスである。第２に、クロック信号ＹＣＬＫは、走査側の基準信号であり、図７に示されるように、１水平走査期間に相当する１Ｈの周期を有する。第３に、交流駆動信号ＭＹは、走査信号における選択電圧の極性を規定するための信号であり、図７に示されるように、２水平走査期間２Ｈ毎に信号レベルが反転し、かつ、同じ２本の走査線が選択される２水平走査期間２Ｈにおいては１垂直走査期間毎に信号レベルが反転する。第４に、制御信号ＩＮＨは、１水平走査期間１Ｈにおける選択電圧の印加期間を規定するための信号であり、図７に示されるように、本実施形態では、クロック信号ＹＣＬＫと同一周期を有するとともに、１水平走査期間１Ｈの後半期間１／２ＨにおいてＨレベルアクティブとなる。
【００４９】
第５に、ラッチパルスＬＰａは、図９に示されるように、交流駆動信号ＭＹの論理レベルが遷移するタイミングにて、すなわち、２水平走査期間２Ｈ毎に出力されるパルスである。第６に、ラッチパルスＬＰは、データ線側において、データ信号をラッチするためのものであり、図９に示されるように、１水平走査期間１Ｈの最初に出力される。第７に、リセット信号ＲＥＳは、図９に示されるように、データ線側において１水平走査期間の前半期間の最初および後半期間の最初にそれぞれ出力されるパルスである。
【００５０】
第８に、交流駆動信号ＭＸは、データ信号においてオン表示とする場合の極性を規定するための信号であり、その論理レベルは、図９に示されるように、制御信号ＩＮＨがＨレベルである場合（選択電圧が実際に印加される期間）には、交流駆動信号ＭＹをレベル反転したものとなる一方、制御信号ＩＮＨがＬレベルである場合には、交流駆動信号ＭＹのレベルを維持したものである。
【００５１】
第９に、階調コードパルスＧＣＰは、図９に示されるように、１水平走査期間１Ｈを分割した前半期間・後半期間の各終点から手前側にあって中間階調のレベルに応じた期間の位置にそれぞれ配列するパルスである。ここで、本実施形態では、画素の濃度を指示する階調データが２ビットで表されて４階調表示を行うものとし、このうち、階調データの（００）がオフ（白色）表示を指示する一方、（１１）がオン（黒色）表示を指示するものとすると、階調コードパルスＧＣＰは、前半期間・後半期間の各々において、白色または黒色を除く灰色の（０１）、（１０）の２個に対応するパルスが、その中間階調レベルに対応して配列したものとなっている。詳細には、階調データの（０１）および（１０）は、図９において階調コードパルスＧＣＰの「１」および「２」にそれぞれ対応している。なお、図９において、階調コードパルスＧＣＰは、実際には、画素の印加電圧−濃度特性（Ｖ−Ｉ特性）にしたがって設定される。
【００５２】
第１０に、データＰＤｘは、部分表示を行う場合に、非表示とするデータ線２１２を特定するデータであり、例えば、図５に示されるような部分表示であれば、１列目〜４０列目および８１列目〜１６０列目のデータ線２１２を特定するデータとなる。
【００５３】
＜Ｙドライバと走査信号の電圧波形＞
次に、Ｙドライバ３５０の詳細について説明する。図６は、このＹドライバ３５０の構成を示すブロック図である。この図において、シフトレジスタ３５０２は、走査線３１２に総数に対応する２００ビットシフトレジスタであり、１フレームの最初に供給される開始パルスＹＤを、１水平走査期間１Ｈの周期を有するクロック信号ＹＣＬＫにしたがってシフトして、転送信号ＹＳ１、ＹＳ２、…、ＹＳ２００として順次出力するものである。ここで、転送信号ＹＳ１、ＹＳ２、…、ＹＳ２００は、それぞれ１行目、２行目、…、２００行目の走査線３１２にそれぞれ１対１に対応するものであって、いずれかの転送信号がＨレベルになると、それに対応する走査線３１２を選択すべきであることを意味するものである。
【００５４】
続いて、電圧選択信号形成回路３５０４は、交流駆動信号ＭＹと制御信号ＩＮＨとから、各走査線３１２に印加すべき電圧を定める電圧選択信号を出力するものである。ここで、本実施形態において、走査線３１２に印加される走査信号の電圧は、上述したように＋ＶS（正側選択電圧）、＋ＶD／２（正側非選択電圧）、−ＶS（負側非選択電圧）、−ＶD／２（負側選択電圧）の４値であり、このうち、選択電圧＋ＶSまたは−ＶSが実際に印加される期間は、１水平走査期間の後半期間１／２Ｈである。さらに、非選択電圧は、選択電圧＋ＶSが印加された後では＋ＶD／２であり、選択電圧−ＶSが印加された後では−ＶD／２であって、直前の選択電圧により一義的に定まっている。
【００５５】
このため、電圧選択信号形成回路３５０４は、走査信号Ｙ１、Ｙ２、…、Ｙ２００の電圧レベルが次のような関係となるように、電圧選択信号を生成する。すなわち、転送信号ＹＳ１、ＹＳ２、…、ＹＳ２００のいずれかＨレベルになって、それに対応する走査線３１２の選択が指示されると、電圧選択信号形成回路３５０４は、当該走査線３１２への走査信号の電圧レベルを、第１に、制御信号ＩＮＨがＨレベルとなる期間において交流駆動信号ＭＹに応じた選択電圧とし、第２に、制御信号ＩＮＨがＬレベルに遷移すると、当該選択電圧に対応する非選択電圧となるように電圧選択信号を生成する。具体的には、電圧選択信号形成回路３５０４は、制御信号ＩＮＨがＨレベルとなる期間において、交流駆動信号ＭＹがＨレベルであれば正側選択電圧＋ＶSを選択させる電圧選択信号を当該期間に出力し、この後、正側非選択電圧＋ＶD／２を選択させる電圧選択信号を出力する一方、交流駆動信号ＭＹがＬレベルであれば負側選択電圧−ＶSを選択させる電圧選択信号を当該期間に出力し、この後、負側非選択電圧−ＶD／２を選択させる電圧選択信号を出力することとなる。そして、このような電圧選択信号の生成を、電圧選択信号形成回路３５０４は、２００本の走査線３１２の各々に対応して実行する。
【００５６】
そして、レベルシフタ３５０６は、電圧選択信号形成回路３５０４によって出力される電圧選択信号の電圧振幅を拡大するものである。そして、セレクタ３５０８は、電圧振幅が拡大された電圧選択信号によって指示される電圧を、実際に選択して、対応する走査線３１２の各々に印加するものである。
【００５７】
次に、上記構成のＹドライバ３５０によって供給される走査信号の電圧波形については、図７に示される通りとなる。すなわち、開始パルスＹＤが、クロック信号ＹＣＬＫにより１水平走査期間１Ｈ毎に順次シフトされて、これが転送信号ＹＳ１〜ＹＳ２００として出力されるとともに、制御信号ＩＮＨにより１水平走査期間１Ｈの後半期間１／２Ｈが選択され、さらに、当該後半期間における交流駆動信号ＭＹのレベルに応じて走査信号の選択電圧が定められる結果、１本の走査線に供給される走査信号の電圧は、当該走査線が選択される１水平走査期間１Ｈの後半期間１／２Ｈにおいて、交流駆動信号ＭＹが例えばＨレベルであれば正側選択電圧＋ＶSとなり、その後、当該選択電圧に対応する正側非選択電圧＋ＶD／２を保持する。そして、１フレーム経過して、１水平走査期間の後半期間においては、交流駆動信号ＭＹのレベルが反転してＬレベルとなるので、当該走査線に供給される走査信号の電圧は、負側選択電圧−ＶSとなり、その後、当該選択電圧に対応する負側非選択電圧−ＶD／２を保持することになる。
【００５８】
例えば、ある第ｎフレームにおいて１行目の走査線３１２への走査信号Ｙ１の電圧は、図７に示されるように、当該水平走査期間の後半期間に正側選択電圧＋ＶSとなり、その後、正側非選択電圧＋ＶD／２を保持し、次の１水平走査期間の後半期間においては、交流駆動信号ＭＹのレベルが前回選択とは反転したＬレベルになるので、当該走査線への走査信号Ｙ１の電圧は、負側選択電圧−ＶSとなり、その後、負側非選択電圧−ＶD／２を保持する、というサイクルの繰り返しとなる。
【００５９】
また、交流駆動信号ＭＹは、２水平走査期間２Ｈ毎に信号レベルが反転するので、各走査線３１２に供給される走査信号の電圧は、２水平走査期間２Ｈ毎に、すなわち、２本毎に交互に極性が反転する関係となる。例えば、図７に示されるように、ある第ｎフレームにおいて、１行目の走査信号Ｙ１の選択電圧、および、２行目の走査信号Ｙ２の選択電圧は、ともに正側選択電圧＋ＶSとなり、さらに、これに続く３行目の走査信号Ｙ３の選択電圧、および、４行目の走査信号Ｙ４の選択電圧は、ともに負側選択電圧−ＶSとなる。
【００６０】
＜Ｘドライバとデータ信号の電圧波形＞
次に、Ｘドライバ２５０の詳細について説明する。図８は、このＸドライバ２５０の構成を示すブロック図である。この図において、アドレス制御回路２５０２は、階調データの読み出しに用いる１行分のアドレスＲａｄを生成するものであり、当該アドレスＲａｄを、１フレームの最初に供給される開始パルスＹＤによりリセットするとともに、１水平走査期間毎に供給されるラッチパルスＬＰで歩進させる構成となっている。
【００６１】
続いて、表示データＲＡＭ２５０４は、２００行×１６０列の画素に対応する領域を有するデュアルポートＲＡＭであり、書き込み側では、図示しない処理回路から供給される階調データＤｎを、書込アドレスＷａｄにしたがった番地に書き込む一方、読み出し側では、アドレスＲａｄで指定された番地の階調データＤｎの１行分（１６０個）を、一括して読み出す構成となっている。
【００６２】
次に、ＰＷＭデコーダ２５０６は、データ信号Ｘ１、Ｘ２、……、Ｘ１６０の電圧をそれぞれ選択するための電圧選択信号を、読み出された１行分の階調データＤｎに応じて、リセット信号ＲＥＳ、交流駆動信号ＭＸおよび階調コードパルスＧＣＰから生成するものである。
【００６３】
ここで、本実施形態において、データ線２１２に印加されるデータ信号の電圧は、＋ＶD／２または−ＶD／２のいずれかであり、また、階調データＤｎは、上述したように本実施形態では２ビット（４階調）である。このため、ＰＷＭデコーダ２５０６は、読み出された１行分の階調データＤｎの各々に対し、データ信号の電圧レベルが次のような関係となるように、電圧選択信号を生成する。
【００６４】
すなわち、ＰＷＭデコーダ２５０６は、１個の階調データＤｎに着目して、当該階調データがオン表示およびオフ表示以外の中間階調（灰色）表示を指示するものであれば、電圧選択信号を、第１に、ラッチパルスＬＰａの立ち上がりにおいて、交流駆動信号ＭＸの論理レベルで示される極性とは反対側の極性となるようにリセットし、第２に、階調コードパルスＧＣＰのうち、当該階調データＤｎに対応するものの立ち下がりにて、交流駆動信号ＭＸの論理レベルで示される極性と同一極性にセットし、以降、次のラッチパルスＬＰａが供給されるまで繰り返すように、生成する。一方、ＰＷＭデコーダ２５０６は、階調データＤｎがオフ（白色）表示に相当する（００）であれば、交流駆動信号ＭＸの論理レベルで示される極性とは反対側の極性となるように、また、階調データＤｎがオン（黒色）表示に相当する（１１）であれば、交流駆動信号ＭＸの論理レベルで示される極性となるように、それぞれリセット信号ＲＥＳ等を用いて電圧選択信号を生成する。このような電圧選択信号の生成を、ＰＷＭデコーダ２５０６は、読み出された１６０個の階調データＤｎの各々に対応して実行する。ただし、ＰＷＭデコーダ２５０６は、データＰＤｘで特定されるデータ線２１２の電圧選択信号について、対応する階調データＤｎにかかわらず、交流駆動信号ＭＹの論理レベルで示される極性となるように生成する。
【００６５】
そして、セレクタ２５０８は、ＰＷＭデコーダ２５０６による電圧選択信号によって指示される電圧を実際に選択して、対応するデータ線２１２の各々に印加するものである。
【００６６】
結局、Ｘドライバ２５０によって供給されるデータ信号の電圧波形は、図９に示されるようなものとなる。すなわち、表示領域に属するデータ線２１２へのデータ信号Ｘｐ（図５の表示例でいえば、ＸｐはＸ４１〜Ｘ８０）は、選択される走査線３１２と、対応するｐ列目のデータ線２１２との交差に対応する画素１１６の階調データＤｎと対応したものとなり、また、非表示領域に属するデータ線２１２へのデータ信号Ｘｑ（図５の表示例でいえば、ＸｑはＸ１〜Ｘ４０およびＸ８１〜Ｘ１６０）は、交流駆動信号ＭＹの論理レベルで示される極性、すなわち、選択電圧の極性と同一極性となる。なお、図９において、データ信号Ｘｐは、Ｙ方向に相隣接する４つの画素の階調データＤｎが同一である場合を示している。
【００６７】
＜データ信号の電圧切替＞
ここで、データ信号Ｘｐ、Ｘｑの電圧切替頻度について図１０を参照して検討すると、本実施形態において、表示領域に属するデータ線２１２へのデータ信号Ｘｐの電圧切替頻度は、オフ（白色）表示またはオン（黒色）表示の画素が列方向に連続すれば、選択電圧の極性が同一となる走査線が選択される２水平走査期間２Ｈあたり３回となり、また、灰色表示の画素が列方向に連続すれば、同２水平走査期間２Ｈあたり５回となる。このため、図２１において示した従来の４値駆動法（１／２セレクト、１Ｈ反転）と単純に比較すると、表示領域に係るデータ信号の電圧切替頻度は高くなる。ただし、非表示領域に属するデータ線２１２へのデータ信号Ｘｑの電圧切替頻度は、２水平走査期間２Ｈあたり１回となり、単にオフ（白色）に相当する信号を供給する場合と比較して、電圧切替頻度が半減する。
【００６８】
したがって、本実施形態に係る表示装置において、図５に示されるような部分表示を行う場合に、非表示領域にかかるデータ信号Ｘｑの電圧切替頻度が低下することによる消費電力の減少分が、表示領域にかかるデータ信号Ｘｐの電圧切替頻度が高くなることによる消費電力の増加分よりも上回れば、低消費電力化が図られることになる。実際、図５に示されるような部分表示を行う場合とは、待機時などのように通常の使用時とは異なる場合であって、最低限の情報を表示すれば足りる場合であるので、表示領域とするデータ線２１２の本数は、ごく少なくて済む。このため、表示領域にかかるデータ信号Ｘｐの電圧切替頻度が高くなることによる消費電力の増加分については、ほとんど無視することができ、非表示領域へのデータ信号Ｘｑの電圧切替頻度が低くなることによる低消費電力の効果のみについて検討すれば十分である、と考えられる。
【００６９】
＜第１実施形態の応用例＞
なお、第１実施形態においては、選択電圧の極性を２水平走査期間毎に反転する構成としたが、本発明はこれに限られず、３以上の水平走査期間毎に反転する構成としても良い。例えば、図１１に示されるように、選択電圧の極性を４水平走査期間４Ｈ毎に反転する構成としても良い。
【００７０】
このように選択電圧の極性を４水平走査期間４Ｈ毎に反転する構成において、表示領域に属するデータ線２１２へのデータ信号Ｘｐの電圧切替頻度は、オフ（白色）またはオン（黒色）表示の画素が列方向に連続すれば、選択電圧の極性が同一となる走査線が選択される４水平走査期間４Ｈあたり７回となり、また、灰色表示の画素が列方向に連続すれば、同４水平走査期間４Ｈあたり９回となる。このため、図２１において示した従来の４値駆動法（１／２セレクト、１Ｈ反転）と比較しても、表示領域に係るデータ信号の電圧切替頻度に大差はなくなる。さらに、非表示領域に属するデータ線２１２へのデータ信号Ｘｑの電圧切替頻度は、４水平走査期間４Ｈあたり１回となるので、電圧切替頻度が激減する。
【００７１】
一般的に、本実施形態において、選択電圧の極性反転周期をｍ水平走査期間に設定すると、表示領域に属するデータ線２１２へのデータ信号Ｘｐの電圧切替頻度は、オフ（白色）表示またはオン（黒色）表示の画素が列方向に連続すれば、ｍ水平走査期間ｍＨあたり（２ｍ−１）回となり、また、灰色表示の画素が列方向に連続すれば、ｍ水平走査期間ｍＨあたり（２ｍ＋１）回となる。さらに、非表示領域に属するデータ線２１２へのデータ信号Ｘｑの電圧切替頻度は、ｍ水平走査期間ｍＨあたり１回となる。
【００７２】
したがって、選択電圧の極性反転周期を長周期化するにつれて、表示領域にかかるデータ信号Ｘｐの電圧切替頻度が１水平走査期間１Ｈあたり１回に近づき、また、非表示領域へのデータ信号Ｘｑの電圧切替頻度が減少するので、より低消費電力化を図ることが可能となる。
【００７３】
なお、上述したように選択電圧の極性反転周期は、交流駆動信号ＭＹにおける論理レベルの反転周期に一致する。このため、交流駆動信号ＭＹにおける論理レベルの反転周期を操作するだけで、選択電圧の極性反転周期を所望の周期に設定することができる。
【００７４】
また、上述した説明にあっては、非表示領域へのデータ信号Ｘｑの電圧切替タイミングを、１本の走査線３１２を選択する１水平走査期間の先頭タイミングとしたが、選択電圧は、その後半期間１／２において印加されるので、この後半期間の先頭タイミングとしても良い。すなわち、非表示領域へのデータ信号Ｘｑについては、図９、図１０または図１１に対し、１水平走査期間の半分の１／２Ｈだけ遅延させても良い。さらに、選択電圧を印加する期間について、１水平走査期間１Ｈの後半期間としたが、前半期間としても良いのはもちろんである。
【００７５】
＜第２実施形態＞
上述した第１実施形態では、非表示領域へのデータ信号Ｘｑの電圧切替頻度については低減されるものの、表示領域へのデータ信号Ｘｐの電圧切替頻度については高くなる傾向があった。そこで、表示領域へのデータ信号Ｘｐの電圧切替頻度を低く抑えることを目的とする第２実施形態について説明する。なお、第２実施形態に係る表示装置は、第１実施形態とは制御信号が異なるだけであり、機械的・電気的な構成については同一である。このため、第２実施形態については、第１実施形態と異なる部分を中心にして説明することとする。
【００７６】
ただ、第２実施形態にあっては、選択電圧の極性反転周期を４水平走査期間４Ｈとする。このため、交流駆動信号ＭＹにおける論理レベルも、４水平走査期間４Ｈ毎に反転するように設定される。より詳細には、交流駆動信号ＭＹにおける論理レベルは、１行目〜４行目、５行目〜８行目、９行目〜１２行目、…、１９７行目〜２００行目というように４本の走査線３１２が選択される４水平走査期間４Ｈ毎に反転するように設定される。
【００７７】
さて、本実施形態において、１水平走査期間１Ｈにおける選択電圧の印加期間を規定する制御信号ＩＮＨは、図１２に示されるように、クロック信号ＹＣＬＫの２倍の周期を有するとともに、奇数行目の走査線３１２が選択される１水平走査期間の後半期間と、これに続く偶数行目の走査線３１２が選択される１水平走査期間の前半期間とにわたって、Ｈレベルとなるように設定されている。このため、走査信号の選択電圧は、図１２に示されるように、奇数行目の走査線３１２については、当該走査線が選択される１水平走査期間１Ｈの後半期間に印加され、これに続く偶数行目の走査線３１２については、当該走査線が選択される１水平走査期間１Ｈの前半期間に印加されることになる。
【００７８】
一方、Ｘ側にあっては、交流駆動信号ＭＹおよび制御信号ＩＮＨが変更された関係上、交流駆動信号ＭＸも異なっている。すなわち、交流駆動信号ＭＸの論理レベルは、制御信号ＩＮＨがＨレベルである場合、交流駆動信号ＭＹをレベル反転したものとなる一方、制御信号ＩＮＨがＬレベルである場合、交流駆動信号ＭＹのレベルを維持したものとなる点においては第１実施形態と共通であるが、第２実施形態では、交流駆動信号ＭＹおよび制御信号ＩＮＨが上述したように変更された関係上、交流駆動信号ＭＸもこれにしたがって変更されている。
【００７９】
また、第１実施形態におけるラッチパルスＬＰａの代わりに、第２実施形態では、ラッチパルスＬＰｂがＸドライバ２５０におけるＰＷＭデコーダ２５０６（図８参照）に供給されている。このラッチパルスＬＰｂは、図１３に示されるように、１水平走査期間１Ｈの開始を規定するラッチパルスＬＰのうち、交流駆動信号ＭＹの論理レベルが遷移するタイミングに出力されるものを除いたものである。
【００８０】
そして、このようなラッチパルスＬＰｂ等の信号を用いて、第２実施形態におけるＰＷＭデコーダ２５０６は、次のような電圧選択信号を生成する。すなわち、ＰＷＭデコーダ２５０６は、１個の階調データＤｎに着目して、当該階調データがオン表示およびオフ表示以外の中間階調表示を指示するものであれば、これに対応する電圧選択信号を、第１に、ラッチパルスＬＰｂの立ち上がりにおいて、交流駆動信号ＭＸの論理レベルで示される極性とは反対側の極性にリセットし、第２に、階調コードパルスＧＣＰのうち、当該階調データＤｎに対応するものの立ち下がりにて、交流駆動信号ＭＸの論理レベルで示される極性と同一極性にセットする動作を繰り返すように、生成する。なお、ＰＷＭデコーダ２５０６は、階調データＤｎがオフ表示に相当する（００）であれば、交流駆動信号ＭＸの論理レベルで示される極性とは反対側の極性となるように、また、階調データＤｎがオン表示に相当する（１１）であれば、交流駆動信号ＭＸの論理レベルで示される極性となるように、それぞれリセット信号ＲＥＳ等を用いて電圧選択信号を生成する点は、第１実施形態と同様である。
【００８１】
結局、第２実施形態におけるＸドライバ２５０によって供給されるデータ信号の電圧波形は、図１３に示されるようなものとなる。すなわち、走査信号における選択電圧が奇数行目の走査線３１２では後半期間に印加され、それに続く偶数行目の走査線３１２では前半期間に印加されることに対応して、点灯電圧が後半期間と前半期間とに印加されるものとなる。
【００８２】
ここで、第２実施形態において、表示領域にかかるデータ信号Ｘｐの電圧切替頻度と、非表示領域にかかるデータ信号Ｘｑの電圧切替頻度とについて図１４を参照して検討する。本実施形態において、データ信号Ｘｐの電圧切替頻度は、オフ（白色）表示またはオン（黒色）表示の画素が列方向に連続すれば、選択電圧の極性が同一となる走査線が選択される４水平走査期間４Ｈあたり５回となる。
【００８３】
一般的に、第２実施形態において、選択電圧の極性反転周期をｍ水平走査期間に設定すると、表示領域に属するデータ線２１２へのデータ信号Ｘｐの電圧切替頻度は、オフ（白色）表示またはオン（黒色）表示の画素が列方向に連続すれば、ｍ水平走査期間ｍＨあたり（ｍ＋１）回となり、第１実施形態における応用例（図１１参照）比較して低減されることが判る。このため、第２実施形態では、第１実施形態と比較して、さらに低消費電力化を図ることが可能となる。
【００８４】
ただし、第２実施形態において、オフ（白色）表示またはオン（黒色）表示の画素へのデータ信号Ｘｐの電圧切替頻度については、第１実施形態と比較して低く抑えることができるが、灰色表示の画素へのデータ信号Ｘｐの電圧切替頻度については、本実施形態では、４水平走査期間４Ｈあたり１１回となり、一般的に言えば、選択電圧の極性反転周期をｍ水平走査期間に設定した場合、ｍ水平走査期間ｍＨあたり（３ｍ−１）回となり、第１実施形態と比較してむしろ高くなる。
【００８５】
しかしながら、この点については、後述する第３実施形態のほか、次のような構成を採用することで回避可能である。すなわち、図５に示されるような部分表示にあっては、表示領域において必要最低限の情報を表示すれば足りるので、灰色表示を行わずに、階調データＤｎの最上位ビットに応じて強制的にオン表示またはオフ表示のいずれかとして、灰色表示を禁止する構成とすれば良い。このように部分表示において灰色表示を禁止する構成を採用すると、電力消費が著しい灰色表示を行わないで済み、非表示領域へのデータ信号Ｘｑについてはもちろん、表示領域におけるオフ（白色）表示またはオン（黒色）表示の画素へのデータ信号Ｘｐの電圧切替頻度も低下するので、さらに低消費電力を図ることが可能となる。
【００８６】
＜第３実施形態＞
次に、本発明の第３実施形態に係る表示装置について説明するが、その前に、階調表示を行う場合の一般的な駆動方法について説明する。階調表示の方法は、電圧変調とパルス幅変調とに大別されるが、前者の電圧変調では、所定の階調を表示するための電圧制御が困難であるため、一般には、後者のパルス幅変調が用いられる。このパルス幅変調を、上述した４値駆動法（１／２Ｈセレクト）に適用する場合、図１５（ａ）に示されるように、選択期間の終わりに点灯電圧を印加する、といういわゆる右寄変調法と、同図（ｂ）に示されるように、選択期間の始めに点灯電圧を印加する、といういわゆる左寄変調法と、階調データの各ビットの重みに対応した時間幅の点灯電圧を、選択期間において分散させる、といういわゆる分散変調法（図示省略）との３通りが存在する。ここで、点灯電圧とは、上述したように、データ線２１２に印加されるデータ電圧のうち、選択電圧±ＶSの印加期間において当該選択電圧とは逆極性となるデータ電圧をいい、いわば画素１１６の書き込みに寄与する電圧を意味する。
【００８７】
さて、３通りの変調法のうち、左寄変調法と分散変調法とにおいては、点灯電圧を一旦書き込んだ後に、放電が発生することになるので、階調制御が困難となる上、駆動電圧を高くしなければならない、という欠点があるので、４値駆動法において、階調表示を行う場合には、一般的には図１５（ａ）に示される右寄変調法が用いられる。
【００８８】
ここで、４値駆動法において階調表示のために右寄変調法を用いた場合に、表示領域にかかるｐ列目の画素１１６がオフ（白色）表示またはオン（黒色）表示であるとき、当該列に対応するデータ信号Ｘｐにおける電圧切替頻度は、選択電圧の極性反転周期をｍ水平走査期間ｍＨ（ｍは２以上の整数）とすると、第１および第２実施形態では、ｍ水平走査期間ｍＨあたり（２ｍ−１）回であり、ｍを大きくすることで、１水平走査期間あたり１回に限りなく近づけることができる。
【００８９】
しかしながら、ある１列の画素１１６が中間階調（灰色）表示であるとき、当該列に対応するデータ信号Ｘｐにおける電圧切替頻度は、第２実施形態では図１４に示されるようにｍ水平走査期間ｍＨあたり（３ｍ−１）回となって、却って高くなる傾向がある。このため、部分表示における表示領域にあって灰色表示となる画素の割合が大きくなると、データ信号Ｘｐにおける電圧切替頻度が増加して、非表示領域にかかるデータ信号Ｘｑの電圧切替頻度の低下という効果を相殺してしまうことになる。
【００９０】
そこで、本発明の第３実施形態に係る表示装置は、図１６に示されるように、選択電圧が１水平走査期間の後半期間１／２Ｈに印加される場合には、右寄変調法を用いる一方、選択電圧が１水平走査期間の前半期間１／２Ｈに印加される場合には、左寄変調法を用いて、点灯電圧が後半期間・前半期間で連続して印加して、灰色表示にかかるデータ信号Ｘｐの電圧切替頻度を低く抑えることとした。
【００９１】
以下、この第３実施形態に係る表示装置について説明するが、この表示装置は、第２実施形態とはＸ側の制御信号が異なるだけであり、機械的・電気的な構成については同一である。このため、第３実施形態については、第２実施形態と異なる部分を中心にして説明することとする。
【００９２】
すなわち、第３実施形態にあっては、第２実施形態と同様に、選択電圧の極性反転周期を４水平走査期間４Ｈとするため、交流駆動信号ＭＹにおける論理レベルは、１行目〜４行目、５行目〜８行目、９行目〜１２行目、…、１９７行目〜２００行目というように４本の走査線３１２が選択される４水平走査期間４Ｈ毎に反転するように設定される。
【００９３】
また、第３実施形態にあって、制御信号ＩＮＨは、図１２に示される第２実施形態と同様に、クロック信号ＹＣＬＫの２倍の周期を有するとともに、奇数行目の走査線３１２が選択される１水平走査期間の後半期間と、これに続く偶数行目の走査線３１２が選択される１水平走査期間の前半期間とにわたって、Ｈレベルとなるように設定されている。
【００９４】
このため、第３実施形態では、図１７に示されるように、走査信号の選択電圧は、奇数行目の走査線３１２については、当該走査線が選択される１水平走査期間１Ｈの後半期間に印加され、これに続く偶数行目の走査線３１２については、当該走査線が選択される１水平走査期間１Ｈの前半期間に印加されることになり、この点については第２実施形態と同様である。
【００９５】
一方、Ｘ側にあって、交流駆動信号ＭＸについても、第２実施形態と同様である。すなわち、交流駆動信号ＭＸの論理レベルは、制御信号ＩＮＨがＨレベルである場合、交流駆動信号ＭＹをレベル反転したものとなる一方、制御信号ＩＮＨがＬレベルである場合、交流駆動信号ＭＹのレベルを維持したものとなる点においては第１実施形態と共通であるが、第３実施形態では、交流駆動信号ＭＹおよび制御信号ＩＮＨが上述したように変更された関係上、交流駆動信号ＭＸもこれにしたがって変更されている。
【００９６】
ただし、第３実施形態では、第２実施形態におけるラッチパルスＬＰｂの代わりにラッチパルスＬＰｃが供給され、さらに、第２実施形態における階調コードパルスＧＣＰの代わりに右寄変調用階調コードパルスＧＣＰＲおよび左寄変調用階調コードパルスＧＣＰＬが、Ｘドライバ２５０におけるＰＷＭデコーダ２５０６（図８参照）に供給されている。このうち、ラッチパルスＬＰｃは、図１６に示されるように、１水平走査期間１Ｈの開始を規定するラッチパルスＬＰのうち、交流駆動信号ＭＹの論理レベルが遷移するタイミングに出力されるものを抽出したものである。さらに、右寄用階調コードパルスＧＣＰＲは、右寄変調法において用いる階調制御用のパルスであり、図１６に示されるように、１水平走査期間１Ｈを分割した前半期間・後半期間の各終点から手前側に、中間階調のレベルに応じた期間の位置にパルスをそれぞれ配列させたものであり、第１および第２実施形態における階調コードパルスＧＣＰと同じものである。一方、左寄用階調コードパルスＧＣＰＬは、左寄変調法において用いる階調制御用のパルスであり、図１６に示されるように、１水平走査期間１Ｈを分割した前半期間・後半期間の各始点から中間階調のレベルに応じた期間の位置にパルスをそれぞれ配列させたものである。
【００９７】
そして、このようなラッチパルスＬＰｃ、右寄変調用階調コードパルスＧＣＰＲおよび左寄変調用階調コードパルスＧＣＰＬ等の信号を用いて、第３実施形態におけるＰＷＭデコーダ２５０６は、次のような電圧選択信号を生成する。すなわち、ＰＷＭデコーダ２５０６は、第１に、ラッチパルスＬＰｃと同時に供給されるラッチパルスＬＰを第１番目とした場合に、第１番目のラッチパルスＬＰが供給されてから第２番目のラッチパルスＬＰが供給されるまでの期間、および、第３番目のラッチパルスＬＰが供給されてから第４番目のラッチパルスＬＰが供給されるまでの期間につき、それぞれ選択電圧を後半期間に供給すべき１水平走査期間と認識する一方、第２番目のラッチパルスＬＰが供給されてから第３番目のラッチパルスＬＰが供給されるまでの期間、および、第４番目のラッチパルスＬＰが供給されてから次のラッチパルスＬＰが供給されるまでの期間につき、それぞれ選択電圧を前半期間に供給すべき１水平走査期間と認識する。
【００９８】
そして、ＰＷＭデコーダ２５０６は、選択電圧を後半期間に供給すべき１水平走査期間と認識した場合、１個の階調データＤｎに着目して、当該階調データがオン表示およびオフ表示以外の中間階調（灰色）表示を指示するものであれば、これに対応する電圧選択信号を、第２に、ラッチパルスＬＰの立ち上がりにおいて、交流駆動信号ＭＸの直前の論理レベルで示される極性とは同一極性にリセットし、第３に、前半期間における右寄変調用階調コードパルスＧＣＰＲのうち、当該階調データＤｎに対応するものの立ち下がりにて、交流駆動信号ＭＸの論理レベルで示される極性と同一極性にセットし、第４に、後半期間における右寄変調用階調コードパルスＧＣＰＲのうち、当該階調データＤｎに対応するものの立ち下がりにて、再度、交流駆動信号ＭＸの論理レベルで示される極性と同一極性にセットするように、生成する。
【００９９】
一方、ＰＷＭデコーダ２５０６は、選択電圧を前半期間に供給すべき１水平走査期間と認識した場合、１個の階調データＤｎに着目して、当該階調データがオン表示およびオフ表示以外の中間階調（灰色）表示を指示するものであれば、これに対応する電圧選択信号を、第２に、ラッチパルスＬＰの立ち上がりにおいて、交流駆動信号ＭＸの論理レベルで示される極性と同一極性にリセットし、第３に、前半期間における左寄変調用階調コードパルスＧＣＰＬのうち、当該階調データＤｎに対応するものの立ち下がりにて、交流駆動信号ＭＸの論理レベルで示される極性と反対側の極性にセットし、第４に、後半期間における右寄変調用階調コードパルスＧＣＰＲのうち、当該階調データＤｎに対応するものの立ち下がりにて、再度、交流駆動信号ＭＸの論理レベルで示される極性と反対側の極性にセットするように、生成する。
【０１００】
なお、ＰＷＭデコーダ２５０６は、選択電圧を前半期間または後半期間に供給すべき１水平走査期間であっても、階調データＤｎがオフ（白色）表示に相当する（００）であれば、交流駆動信号ＭＸの論理レベルで示される極性とは反対側の極性となるように、また、階調データＤｎがオン（黒色）表示に相当する（１１）であれば、交流駆動信号ＭＸの論理レベルで示される極性となるように、それぞれリセット信号ＲＥＳ等を用いて電圧選択信号を生成する点は、第１実施形態と同様である。
【０１０１】
結局、第３実施形態におけるＸドライバ２５０によって供給されるデータ信号の電圧波形は、図１６に示されるようなものとなる。すなわち、選択電圧が、ある走査線３１２に対し後半期間に印加されると、点灯電圧は右寄変調法で印加され、それに続く走査線３１２に対して選択電圧が前半期間に印加されると、点灯電圧は左寄変調法で印加される結果、点灯電圧が後半期間と前半期間とに連続して印加されることになる。
【０１０２】
ここで、第３実施形態において、表示領域にかかるデータ信号Ｘｑの電圧切替頻度であって、灰色表示の画素へのデータ信号Ｘｐの電圧切替頻度について検討すると、第３実施形態では、４水平走査期間４Ｈあたり９回となり、一般的に言えば、選択電圧の極性反転周期をｍ水平走査期間に設定した場合、ｍ水平走査期間ｍＨあたり（２ｍ＋１）回となって、第１実施形態と同様になる。
【０１０３】
なお、第３実施形態において、データ信号Ｘｐの電圧切替頻度は、オフ（白色）表示またはオン（黒色）表示の画素が列方向に連続すれば、第２実施形態と同様に、選択電圧の極性が同一となる走査線が選択される４水平走査期間４Ｈあたり５回となり、一般的に言えば、選択電圧の極性反転周期をｍ水平走査期間に設定すると、表示領域に属するデータ線２１２へのデータ信号Ｘｐの電圧切替頻度は、ｍ水平走査期間ｍＨあたり（ｍ＋１）回となる。
【０１０４】
このため、第３実施形態では、表示領域にかかるデータ信号Ｘｑの電圧切替頻度であって、オフ（白色）表示またはオン（黒色）の画素へのデータ信号Ｘｐの電圧切替頻度については、第２実施形態並に低く抑えることができ、さらに、灰色表示の画素へのデータ信号Ｘｐの電圧切替頻度については、第１実施形態並に低く抑えることが可能となる。
【０１０５】
以上説明した第１、第２および第３実施形態によれば、図５に示されるような縦長の部分表示を行う場合に、非表示領域にかかるデータ線へのデータ信号Ｘｑを、単に、オフ表示の信号とする構成と比較すると、電圧切替頻度が低減されるので、低消費電力が図られることになる。
【０１０６】
なお、上述した第２および第３実施形態では、１水平走査期間のうちの後半期間１／２Ｈと、次の１水平走査期間のうちの前半期間１／２Ｈとを対としているため、選択電圧の極性反転周期を示すｍを、２以上の偶数として考えがちであるが、奇数としても良い。ただ、ｍを奇数とすると、対をなさない１水平走査期間が発生するが、データ信号Ｘｐ、Ｘｑの電圧切替頻度について影響を及ぼさない。
【０１０７】
また、上述した実施形態にあっては、非表示とするデータ線２１２を特定するデータＰＤｘをＰＷＭデコーダ２５０６に供給していたが、これを、アドレス制御回路２５０２に供給して、当該データに対応する階調データＤｎの読出アドレスＲａｄの生成を禁止するとともに、これにより、階調データＤｎが読み出されていないものについては、ＰＷＭデコーダ２５０６が非表示とすべきものと認識してデータ信号Ｘｑの電圧選択信号を生成する構成としても良い。
【０１０８】
さらに、上述した実施形態にあっては、透過型として説明したが、反射型や半透過半反射型としても良い。反射型とする場合には、画素電極２３４をアルミニウムなどの反射性金属から形成したり、反射膜を別途形成したりして、対向基板３００側からの光を反射させる構成とすれば良い。また、半透過半反射型とする場合には、反射性金属からなる画素電極２３４や反射膜を極めて薄く形成したり、開口部を設けたりするなどの構成とすれば良いし、反射型とする場合には、対向基板３００側からの光を反射させる一方、透過型とする場合には、バックライトユニットによる照射光を透過させる構成とすれば良い。
【０１０９】
また、上述した実施形態にあっては、２ビットの階調データＤｎによる４階調表示を行う構成としたが、本発明はこれに限られず、３ビット以上の多階調表示を行うとしても良い。また、画素をさらにＲ（赤）、緑（Ｇ）、Ｂ（青）の各色に対応させて、カラー表示を行うとしても良いのはもちろんである。
【０１１０】
一方、図１において、ＴＦＤ２２０はデータ線２１２の側に接続され、液晶層１１８が走査線３１２の側に接続されているが、これとは逆に、ＴＦＤ２２０が走査線３１２の側に、液晶層１１８がデータ線２１２の側にそれぞれ接続される構成でも良い。
【０１１１】
また、上述した液晶パネル１００におけるＴＦＤ２２０は、スイッチング素子の一例であり、他に、ＺｎＯ（酸化亜鉛）バリスタや、ＭＳＩ（Metal Semi-Insulator）などを用いた素子や、これら素子を２つ逆向きに直列接続または並列接続したものなどの二端子型素子が適用可能であり、さらに、ＴＦＴ（Thin Film Transistor：薄膜トランジスタ）や、絶縁ゲート型電界効果トランジスタなどの三端子型素子が適用可能である。
【０１１２】
ただし、スイッチング素子として三端子型素子を適用する場合には、素子基板２００にデータ線２１２または走査線３１２の一方だけではなく、双方を交差させて形成しなければならないので、それだけ配線ショートの可能性が高まる点、さらに、ＴＦＴ自体は、ＴＦＤよりも構成が複雑であるので、製造プロセスが複雑化する点において、不利である。また、ＴＦＤやＴＦＴなどのようなスイッチング素子を用いないパッシィブ型液晶などにも適用可能である。
【０１１３】
さらに、上述した実施形態では、液晶としてＴＮ型を用いたが、ＢＴＮ（Bi-stable Twisted Nematic）型・強誘電型などのメモリ性を有する双安定型や、高分子分散型、さらには、分子の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型などの液晶を用いても良い。また、電圧無印加時には液晶分子が両基板に対して垂直方向に配列する一方、電圧印加時には液晶分子が両基板に対して水平方向に配列する、という垂直配向（ホメオトロピック配向）の構成としても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。このように、本発明では、液晶や配向方式として、種々のものに適用することが可能である。
【０１１４】
くわえて、上述した説明にあっては、電気光学材料として液晶を用いた表示装置を例にとって説明したが、エレクトロルミネッセンスや、蛍光表示管、プラズマディスプレイなど、電気光学効果により表示を行う表示装置に適用可能である。すなわち、本発明は、上述した表示装置と類似の構成を有するすべての表示装置に適用である。
【０１１５】
＜電子機器＞
次に、上述した実施形態に係る表示装置を電子機器に用いた例について説明する。
【０１１６】
＜その１：モバイル型コンピュータ＞
まず、上述した表示装置を、モバイル型のパーソナルコンピュータの表示部に適用した例について説明する。図２３は、このパーソナルコンピュータの構成を示す斜視図である。図において、コンピュータ１１００は、キーボード１１０２を備えた本体部１１０４と、表示部として用いられる液晶パネル１００とを備えている。なお、この液晶パネル１００の背面には、視認性を高めるためにバックライトが設けられるが、外観には表れないので、図示を省略している。
【０１１７】
＜その２：携帯電話＞
続いて、上述した表示装置を、携帯電話の表示部に適用した例について説明する。図２４は、この携帯電話の構成を示す斜視図である。図において、携帯電話１２００は、複数の操作ボタン１２０２のほか、受話口１２０４、送話口１２０６とともに、上述した液晶パネル１００を備えるものである。この液晶パネル１００は、着信時または発信時には全領域を表示領域とする全画面表示を行う一方、待ち受け時には部分表示を行い、この表示領域において電界強度や、番号、文字、日付時刻など必要な情報のみを表示する。これにより、待ち受け時において表示装置で消費される電力が抑えられるので、待ち受け可能時間の長期化を図ることが可能となる。なお、この液晶パネル１００の背面にも、視認性を高めるためのバックライトが設けられるが、外観には表れないので、図示を省略している。
【０１１８】
＜その３：ディジタルスチルカメラ＞
次に、上述した表示装置をファインダに用いたディジタルスチルカメラについて説明する。図２５は、このディジタルスチルカメラの構成を示す斜視図であるが、外部機器との接続についても簡易的に示すものである。
【０１１９】
通常の銀塩カメラは、被写体の光像によってフィルムを感光するのに対し、ディジタルスチルカメラ１３００は、被写体の光像をＣＣＤ（Charge Coupled Device）などの撮像素子により光電変換して撮像信号を生成するものである。ここで、ディジタルスチルカメラ１３００におけるケース１３０２の背面には、上述した液晶パネル１００が設けられ、ＣＣＤによる撮像信号に基づいて、表示を行う構成となっている。このため、液晶パネル１００は、被写体を表示するファインダとして機能する。また、ケース１３０２の前面側（図２５においては裏面側）には、光学レンズやＣＣＤなどを含んだ受光ユニット１３０４が設けられている。
【０１２０】
ここで、撮影者が液晶パネル１００に表示された被写体像を確認して、シャッタボタン１３０６を押下すると、その時点におけるＣＣＤの撮像信号が、回路基板１３０８のメモリに転送・格納される。また、このディジタルスチルカメラ１３００にあっては、ケース１３０２の側面に、ビデオ信号出力端子１３１２と、データ通信用の入出力端子１３１４とが設けられている。そして、図に示されるように、前者のビデオ信号出力端子１３１２にはテレビモニタ１３２０が、また、後者のデータ通信用の入出力端子１３１４にはパーソナルコンピュータ１３３０が、それぞれ必要に応じて接続される。さらに、所定の操作によって、回路基板１３０８のメモリに格納された撮像信号が、テレビモニタ１３２０や、パーソナルコンピュータ１３３０に出力される構成となっている。
【０１２１】
なお、電子機器としては、図２３のパーソナルコンピュータや、図２４の携帯電話、図２５のディジタルスチルカメラの他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、上述した表示装置が適用可能なのは言うまでもない。
【０１２２】
【発明の効果】
以上説明したように本発明によれば、特定のデータ線に属する画素を表示状態とし、それ以外のデータ線に属する画素を非表示状態とする場合に、特定のデータ線以外のデータ線に対して、単に、非点灯電圧を印加するときと比較して、電圧の切替頻度が低下するので、その切り替わりに伴って消費される電力を低く抑えることが可能となる。
【図面の簡単な説明】
【図１】  本発明の第１実施形態に係る表示装置の電気的な構成を示すブロック図である。
【図２】  同表示装置における液晶パネルの構成を示す斜視図である。
【図３】  同液晶パネルをＸ方向で破断した場合の構成を示す部分断面図である。
【図４】  同液晶パネルの要部構成を示す部分破断斜視図である。
【図５】  同液晶パネルにおける表示態様を説明するための図である。
【図６】  同表示装置におけるＹドライバの構成を示すブロック図である。
【図７】  同Ｙドライバの動作を説明するためのタイミングチャートである。
【図８】  同表示装置におけるＸドライバの構成を示すブロック図である。
【図９】  同Ｘドライバの動作を説明するためのタイミングチャートである。
【図１０】  同Ｘドライバおよび同Ｙドライバによる電圧波形を画素の階調との関連において示すタイミングチャートである。
【図１１】  同実施形態の応用例に係る電圧波形を画素の階調との関連において示すタイミングチャートである。
【図１２】  本発明の第２実施形態に係る表示装置におけるＹドライバの動作を説明するためのタイミングチャートである。
【図１３】  同表示装置におけるＸドライバの動作を説明するためのタイミングチャートである。
【図１４】  同Ｘドライバおよび同Ｙドライバによる電圧波形を画素の階調との関連において示すタイミングチャートである。
【図１５】  （ａ）は、右寄変調法を説明するための図であり、（ｂ）は、左寄変調法を説明するための図である。
【図１６】  本発明の第３実施形態に係る表示装置におけるＸドライバの動作を説明するためのタイミングチャートである。
【図１７】  同Ｘドライバおよび同Ｙドライバよる電圧波形を画素の表示態様との関連において示すタイミングチャートである。
【図１８】  （ａ）および（ｂ）は、それぞれ実施形態に係る表示装置における画素の等価回路を示す図である。
【図１９】  ４値駆動法（１Ｈセレクト）における走査信号Ｙｊおよびデータ信号Ｘｉの波形例を示す図である。
【図２０】  表示の不具合を説明するための図である。
【図２１】  ４値駆動法（１／２Ｈセレクト）における走査信号Ｙｊおよびデータ信号Ｘｉの波形例を示す図である。
【図２２】  （ａ）、（ｂ）は、それぞれ非選択期間（保持期間）におけるデータ信号Ｘｉの電圧切り替わりによる電力消費を説明するための図である。
【図２３】  実施形態に係る表示装置を適用した電子機器の一例たるパーソナルコンピュータの構成を示す斜視図である。
【図２４】  同表示装置を適用した電子機器の一例たる携帯電話の構成を示す斜視図である。
【図２５】  同表示装置を適用した電子機器の一例たるディジタルスチルカメラの構成を示す斜視図である。
【図２６】  従来の部分表示駆動による表示態様を説明するための図である。
【符号の説明】
１００……液晶パネル
１０５……液晶
１１６……画素
１１８……液晶
２００……素子基板
２１２……データ線
２２０……ＴＦＤ
２３４……画素電極
２５０……Ｘドライバ（データ線駆動回路）
３００……対向基板
３１２……走査線
３５０……Ｙドライバ（走査線駆動回路）
１１００……パーソナルコンピュータ
１２００……携帯電話
１３００……ディジタルスチルカメラ
【図１】
0003829597.tif 000002
【図２】
0003829597.tif 000003
【図３】
0003829597.tif 000004
【図４】
0003829597.tif 000005
【図５】
0003829597.tif 000006
【図６】
0003829597.tif 000007
【図７】
0003829597.tif 000008
【図８】
0003829597.tif 000009
【図９】
0003829597.tif 000010
【図１０】
0003829597.tif 000011
【図１１】
0003829597.tif 000012
【図１２】
0003829597.tif 000013
【図１３】
0003829597.tif 000014
【図１４】
0003829597.tif 000015
【図１５】
0003829597.tif 000016
【図１６】
0003829597.tif 000017
【図１７】
0003829597.tif 000018
【図１８】
0003829597.tif 000019
【図１９】
0003829597.tif 000020
【図２０】
0003829597.tif 000021
【図２１】
0003829597.tif 000022
【図２２】
0003829597.tif 000023
【図２３】
0003829597.tif 000024
【図２４】
0003829597.tif 000025
【図２５】
0003829597.tif 000026
【図２６】
0003829597.tif 000027